(57)【要約】【課題】市販の粘着テープで埃やゴミを除去する場合、粘着テープの粘着面が被清掃面に張り付いて使いにくい。また専用の粘着シート等ではコストが高く、掃除具が大きくなり、狭い隙間等の掃除が困難である。かつ古くなった粘着シートの取り外しも手間であった。【解決手段】粘着テープが被清掃面に対し貼り付くのを防止するために掃除具が粘着テープ端面片側を固定することを特徴とし、粘着テープの掃除具への脱着を容易とするために掃除具表面に非粘着材層を有する特徴とする。【選択図】図１
2011104181.tif 000002
【特許請求の範囲】
【請求項１】
粘着テープにより埃やゴミを取り除く掃除具であって、粘着テープ端面片側を固定し、すくなくとも粘着テープの粘着面が接触する掃除具表面に非粘着材層を設けた掃除具。
【請求項２】
請求項1における掃除具であり、粘着テープを粘着面間の接合により固定する掃除具。
【請求項３】
請求項1における掃除具であり、粘着テープを挟んで固定する固定具を用いた掃除具。
【発明の詳細な説明】
【技術分野】
【０００１】
本発明は、粘着テープで床面などの埃やゴミを除去する掃除具に関するものである。
【背景技術】
【０００２】
従来、粘着材を使用して埃やゴミを除去する掃除具には、粘着材層を外側にして巻かれた粘着テープを回転させるロール式掃除具や、不織布に粘着材を塗布したものを装着する掃除具等が周知である。
【０００３】
しかし、ロール式掃除具においては、その形状から狭い隙間の掃除が苦手であり、ゴミ等が付着し粘着力の低下した粘着テープの取り外しも面倒であった。また、粘着材により被清掃面に貼り付いてしまい取扱いにくいことがある。
【０００４】
この改善策として、特開平９−２２４８９５号公報には、弱粘着性と強粘着性の面を配置し被清掃面への貼り付きを防止する粘着シートや、特開２０００−２５４０８８号公報には、ロール式掃除具としてシート状のフォーム材に粘着材を担持させるものがあるが、どちらも粘着シートのコストが高くなる。
【０００５】
また、安価な市販の粘着テープがゴミの粘着除去に周知であるが、直接手に持ち被清掃面に押し付けるなどすると被清掃面へ粘着テープが貼り付いて取扱いにくいことが欠点であった。
【先行技術文献】
【特許文献】
【０００６】
【特許文献１】特開平９−２２４８９５号公報
【特許文献２】特開２０００−２５４０８８号公報
【発明の概要】
【発明が解決しようとする課題】
【０００７】
解決しようとする問題点は、粘着テープ等が被清掃面への貼り付くこと。また粘着テープ等の掃除具からの取り外しが手間であった。
【課題を解決するための手段】
【０００８】
本発明は、粘着テープが被清掃面へ貼り付くことを防止するために粘着テープ端面片側を固定することを最も主要な特徴とする。
【発明の効果】
【０００９】
本発明の掃除具は粘着テープ端面片側を固定し被清掃面に対し粘着テープが貼り付くことを防止するため、市販の粘着テープを利用することができる。これにより清掃コストを低くできる。掃除具が単純構造なため非常に小さなスペースで使用できる。掃除具表面に非粘着材層を有するため粘着テープの脱着が容易である。
【図面の簡単な説明】
【００１０】
【図１】粘着テープの粘着面間で固定した掃除具の斜視図。
【図２】粘着テープの粘着面間で固定した掃除具の断面図。
【図３】粘着テープを固定具で固定した掃除具の斜視図。
【図４】粘着テープを固定具で固定した掃除具の斜視図。
【図５】掃除具から粘着テープを取り外した状態の説明図。
【発明を実施するための形態】
【００１１】
安価な市販の粘着テープを清掃に利用することを目的とし、粘着テープの被清掃面への貼り付き防止のため粘着テープ端面片側を固定する掃除具とした。また掃除具表面に非粘着層を設けて粘着テープの脱着を容易とすることを実現した。
【００１２】
市販の粘着テープを利用して清掃することは一般に知られているが、フローリング床などのフラット面などには上記のように被清掃面貼り付きがあり敬遠されていた。また、ゴミの付着した粘着テープで被清掃面に強く擦る等して被清掃面を傷つけることがあった。これに対し、本発明の掃除具は粘着テープ端面片側を固定し、粘着面を被清掃面へ掃くように使用すると被清掃面のゴミが粘着面へと除去され被清掃面への貼り付き現象も防止することができた。さらに粘着面の一部に付着したゴミにより、被清掃面のゴミを絡め取ったりすることを知見した。
【００１３】
例として、フローリング床の場合は埃や細かい砂等がゴミとして存在するが、埃は繊維状のため粘着面に付着するとその繊維状のゴミが被清掃面の繊維状のゴミ絡めて回収することがきる。また、砂等のゴミは粘着面に付着保持される。これは、従来ある不織布のワイパー以上の効果があり、不織布ワイパーで粘着性のないものは、細かい砂等は除去できない。
【実施例】
【００１４】
図１は、粘着テープの粘着面間で固定した掃除具の斜視図である。１は掃除具である。２は粘着テープである。掃除具１は構造を簡単にするため本実施例では丸棒形状としている。掃除具のすくなくとも粘着テープと接する部分には非粘着材層を有し、粘着テープが掃除具に貼り付かないようして粘着テープの脱着を容易にしている。粘着テープと掃除具の固定は、掃除具に対し粘着テープが粘着面間で接合するように固定する。（詳細断面図は図２）これにより、粘着テープは掃除具１の反長手方向に固定される。この状態での掃除具の使用方法は、粘着テープの粘着面を被清掃面に近づけ、初めのうちは粘着面全面を接触させず掃除具反長手方向に粘着テープ固定側から非固定側に向かってに掃くように使用する。次に粘着面にゴミ等が付着し粘着力が低下を始めるが、その段階で粘着面全面を被清掃面に接触させて掃除具反長手方向に滑らすように使用すれば繊維状のゴミ同士の絡まり効果と残っている粘着効果で粘着テープのゴミ回収能力がなくなるまで使用できる。
【００１５】
図２は、図１における断面図の詳細である。３は掃除具本体。４は掃除具表面の非粘着材層。５は粘着テープの粘着材層。６は粘着テープの基材層。この図では、粘着テープの粘着面間にて接合され掃除具に固定されている。これにより、掃除具反長手方向に固定される。
【００１６】
図３は、掃除具に対し粘着テープを固定具により固定したものである。１は掃除具である。２は粘着テープである。３は固定具である。これも掃除具表面には非粘着材層があり固定具によって粘着テープを掃除具に挟みつける構造である。
【００１７】
図４は、図３における断面図の詳細である。３は掃除具本体。４は掃除具表面の非粘着材層。５は粘着テープの粘着材層。６は粘着テープの基材層。７は固定具。この図では粘着テープの粘着面間にて接合による掃除具の固定ではなく、固定具による粘着テープの固定方法の一例である。本例の固定具の材質は弾性体でクリップ形状である。また、本例に限らず掃除具自体が粘着テープ端面片側を固定しうるものであればこの限りではない。
【００１８】
図５は、掃除具から粘着テープを取り外した状態である。図１の粘着面間で接合された粘着テープは掃除具表面に非粘着材層を有するため掃除具長手方向に容易に引き抜くことができる。また、粘着テープを取り外す際は、ゴミの付着した粘着面を内側にし掃除具長手方向に沿って半分に粘着面同士を接合することで粘着面に付着したゴミを閉じ込めることができる。
【符号の説明】
【００１９】
１    掃除具
２    粘着テープ
３    掃除具基材
４    掃除具非粘着材層
５    粘着テープの粘着材層
６    粘着テープの基材層
７    固定具
【図１】
2011104181.tif 000003
【図２】
2011104181.tif 000004
【図３】
2011104181.tif 000005
【図４】
2011104181.tif 000006
【図５】
2011104181.tif 000007